(57)【要約】【課題】  換気口に挿入される筒状本体とその換気口を覆うフードとを陶器製を主体として構成し、かつ、両者を容易に連結できるようにした換気口装置を提供すること。【解決手段】  建物の外壁に設けられた換気口に挿入取付られるものである。陶器製を主体とする本体は、前記換気口に挿入される筒部の先端付近に鍔部を持つ。フードは陶器製を主体とする。中間部材は、前記鍔部に取り付けられる環板の表面から、半径方向に開口する通気口を残した脚部材が環板の中心線回りに立設され、該脚部材の先端に天板部材が設けられ、該天板部材にネジ部が設けられている。該中間部材の天板部材に取付部材を介して、フードが取り付けられる。【選択図】        図２
2008304151.tif 000002
【特許請求の範囲】
【請求項１】
建物の外壁に設けられた換気口に挿入取付られるものであって、
前記換気口に挿入される筒部の先端付近に鍔部を持つ陶器製を主体とする装置本体と、  前記鍔部に取り付けられる環板の表面から、半径方向に開口する通気口を残した脚部材が環板の中心線回りに立設され、該脚部材の先端に天板部材が設けられ、該天板部材にネジ部が設けられた中間部材と、
該中間部材の天板部材に取付部材を介して取付けられた陶器製を主体とするフードとを含む換気口装置。
【請求項２】
前記鍔部の環本体の外周縁には、滑らかな凹面を形成するように、周壁が先端側に隆起して設けられ請求項１記載の換気口装置。
【請求項３】
前記鍔部の環本体の外周縁には、滑らかな凹面を形成するように、周壁が先端側に隆起して設けられ、該周壁の半径方向外側に水切り凸条が一体形成された請求項１または２または３記載の換気装置。
【請求項４】
前記鍔部の環本体の外周縁には、滑らかな凹面を形成するように、周壁が先端側に隆起して設けられ、更に、折り返し部が後端側に折り返して設けられ、前記鍔部の外周縁との間に間隙が残されている請求項１記載の換気口装置。
【請求項５】
前記中間部材において複数の脚部材が等間隔で、環板の中心線に接近するように傾斜立設される請求項１記載の換気口装置。
【請求項６】
前記脚部材は短冊状の板からなり、環板の中心線に対する円周の接線方向に対し傾斜するようにひねられ、かつ、前記脚部材で互いに同方向にひねられている
請求項５記載の換気口装置。
【請求項７】
前記フードは前記中間部材の天板部材に、ネジにより着脱自在に取り付けられた請求項１記載の換気口装置。
【請求項８】
前記中間部材は前記装置本体の鍔部に、ネジにより着脱自在に取り付けられた請求項１または７記載の換気口装置。
【請求項９】
前記フードの取付部材は、前記天板部材のネジ部に螺合するネジ棒がフードの後面に固定された請求項７記載の換気口装置。
【請求項１０】
前記フードの取付部材は、前記天板部材のネジ部に螺合する陶器製のネジ棒がフードの後面に一体形成された請求項７記載の換気口装置。
【請求項１１】
前記フードの取付部材において、前記天板部材のネジ部に螺合するネジ棒の先端に座板が固定され、該座板を貫通して前記ネジ棒の先端から中途までネジ孔が設けられ、前記フードの後面の中央に前記座板が当接された状態で、前記フードの中央に貫通した孔を通して、ビスが前記ネジ棒のネジ孔にねじ込み固定された請求項７記載の換気口装置。
【請求項１２】
前記フードの取付部材において、前記天板部材のネジ部に螺合するネジ棒の先端には、周縁に爪を持つ座板が固定され、前記フードの内面中央に同心に短円筒凹所が一体形成され、該短円筒凹所内に接着剤を介して、前記座板が抜止め状態で押し込まれて固定された請求項７記載の換気口装置。
【請求項１３】
前記フードは、陶器製の椀状本体の後面に補強シートが取付られている前記いずれか１項記載の換気口装置。
【発明の詳細な説明】
【技術分野】
【０００１】
本発明は、換気口装置に関するものである。
【背景技術】
【０００２】
従来、建物の外壁に本発明の自然換気口が設けられ、ここに雨水や塵埃などが入らないように、フードをもつ換気口装置が挿入取付られる（特許文献１）。このフードは金属製かプラスチック製である。金属製のものは雨水、特に酸性雨や自動車の排気ガスなどで錆びたり、浸食されて、寿命が短く、また、美観を損なう。また、プラスチック製のものは、日光などにより退化が激しく、ひび割れ等により、やはり、寿命が短く、また、美観を損なう。
【０００３】
そこで本出願人は先に、この問題を解決するフードを開発し、特許を取得した（特許文献２）。即ち、フードの内面側を金属またはプラスチックとし、外面側を陶器またはガラスで覆うものである。
【特許文献１】特開平９−７９６２７公報
【特許文献２】特許第３８４７２９９公報
【発明の開示】
【発明が解決しようとする課題】
【０００４】
しかしながら、なお、次ぎのような問題に直面した。即ち、換気口に挿入される金属製の筒状本体に対し、金属板またはプラスチック板の外面を陶器またはガラスで覆ったフードを取り付けることは容易でなく、特に陶器の焼成具合は微妙なところがある。
【０００５】
本発明は上記問題を解決し、換気口に挿入される筒状本体とその換気口を覆うフードとを陶器製を主体として構成し、かつ、両者を容易に連結できるようにした換気口装置を提供することを目的とする。
【課題を解決するための手段】
【０００６】
本発明の第１課題解決手段は、建物の外壁に設けられた換気口に挿入取付られるものであって、前記換気口に挿入される筒部の先端付近に鍔部を持つ陶器製を主体とする本体と、前記鍔部に取り付けられる環板の表面から、半径方向に開口する通気口を残した脚部材が環板の中心線回りに立設され、該脚部材の先端に天板部材が設けられ、該天板部材にネジ部が設けられた中間部材と、該中間部材の天板部材に取付部材を介して取付けられた陶器製を主体とするフードとを含むことである。
【０００７】
本発明の第２課題解決手段は、第１課題解決手段に加え、前記鍔部の環本体の外周縁には、滑らかな凹面を形成するように、周壁が先端側に隆起して設けられたことである。
【０００８】
本発明の第３課題解決手段は、第１課題解決手段に加え、前記鍔部の環本体の外周縁には、滑らかな凹面を形成するように、周壁が先端側に隆起して設けられ、該周壁の半径方向外側に水切り凸条が一体形成されたことである。
【０００９】
本発明の第４課題解決手段は、第１課題解決手段に加え、前記鍔部の環本体の外周縁には、滑らかな凹面を形成するように、周壁が先端側に隆起して設けられ、更に、折り返し部が後端側に折り返して設けられ、前記鍔部の外周縁との間に間隙が残されていることである。
【００１０】
本発明の第５課題解決手段は、第１課題解決手段に加え、前記中間部材において複数の脚部材が等間隔で、環板の中心線に接近するように傾斜立設されることである。
【００１１】
本発明の第６課題解決手段は、第５課題解決手段に加え、前記脚部材は短冊状の板からなり、環板の中心線に対する円周の接線方向に対し傾斜するようにひねられ、かつ、前記脚部材で互いに同方向にひねられていることである。
【００１２】
本発明の第７課題解決手段は、第１課題解決手段に加え、前記フードは前記中間部材の天板部材に、ネジにより着脱自在に取り付けられたことである。
【００１３】
本発明の第８課題解決手段は、第１または第７課題解決手段に加え、前記中間部材は前記装置本体の鍔部に、ネジにより着脱自在に取り付けられたことである。
【００１４】
本発明の第９課題解決手段は、第７課題解決手段に加え、前記フードの取付部材は、前記天板部材のネジ部に螺合するネジ棒がフードの後面に固定されたことである。
【００１５】
本発明の第１０課題解決手段は、第７課題解決手段に加え、前記フードの取付部材は、前記天板部材のネジ部に螺合する陶器製のネジ棒がフードの後面に一体形成されたことである。
【００１６】
本発明の第１１課題解決手段は、第７課題解決手段に加え、前記フードの取付部材において、前記天板部材のネジ部に螺合するネジ棒の先端に座板が固定され、該座板を貫通して前記ネジ棒の先端から中途までネジ孔が設けられ、前記フードの後面の中央に前記座板が当接された状態で、前記フードの中央に貫通した孔を通して、ビスが前記ネジ棒のネジ孔にねじ込み固定されたことである。
【００１７】
本発明の第１２課題解決手段は、第７課題解決手段に加え、前記フードの取付部材において、前記天板部材のネジ部に螺合するネジ棒の先端には、周縁に爪を持つ座板が固定され、前記フードの内面中央に同心に短円筒凹所が一体形成され、該短円筒凹所内に接着剤を介して、前記  座板が抜止め状態で押し込まれて固定されたことである。
【００１８】
本発明の第１３課題解決手段は、前記課題解決手段のいずれか１手段に加え、前記フードは、陶器製の椀状本体の後面に補強シートが取付られていることである。
【発明の効果】
【００１９】
本発明の構成により、換気口に挿入される筒状装置本体とその換気口を覆うフードとを陶器製を主体として構成し、かつ、両者を容易に連結できることとなった。これによって、家屋外壁のタイルと同じ色で換気口装置を陶器で焼成できることとなり、今までの家屋では実現できなかった外観調和が可能となった。しかも、防火ダンパが必ずしも必要がなくなった。また、換気口がフードでほぼ覆われているので、外部からは視認できず、建物外観の違和感がなくなる。
【００２０】
フードまたは中間部材を本体に着脱自在とした場合は、フードの取り外しが容易であり、汚れや掃除が容易に可能となった。また、フードの形状を丸，正多角形などの点対称形とした場合には、フードの上下方向性がなく、適用範囲が広くなる。
【発明を実施するための最良の形態】
【００２１】
以下に本発明の実施態様を図面に示す一実施例にもとづき説明する。
図１，２において、建物の外壁Ｗに本発明の自然換気口Ｗ１が設けられ、ここに本発明の換気口装置が挿入取付られる。この換気口装置の大要は、陶器製の装置本体１０の先端に金属製の中間部材２０と取付部材４０を介して、陶器製のフード３０が取り付けられたものである。
【００２２】
さて、前記陶器製の装置本体１０において、換気口Ｗ１に挿入される円筒部１１の孔が通気口１１ａとなり、その後端付近には水返し円周突条１１ｂが設けられている。この本体の先端付近には、円形鍔部１２が一体に形成されている。この円形鍔部の円環本体１２ａの外周縁には、滑らかな凹面を形成するように、周壁１２ｂが先端側に隆起して設けられる。また、該周壁の半径方向外側に水切り凸条１２ｃが一体形成されている。
【００２３】
更に、折り返し部１２ｃが後端側に折り返して設けられ、前記円形鍔部の外周縁との間に間隙Ｃが残されている。この間隙内にコーキング剤Ｃが充填され、雨水の侵入を防止する。前記周壁１２ｂにより、換気口よりの排気が建物外壁Ｗから離れる方向に方向転換し、水切り凸条１２ｃを伝って雨水は下方へ導かれ、これらにより壁面の汚れ現象が防止される。
【００２４】
図２，３に示す金属製の中間部材２０において、円形鍔部１２に取り付けられる円環板２１の表面から、複数（図示３本）の脚部材２２が等間隔で、円環板の円中心線に接近するように傾斜立設される。これらの脚部材の先端に正三角形状の天板部材２３が固定され、その裏面にナット部材２４が固定される。前記脚部材２２は短冊状の板からなり、環板２１の中心線に対する円周の接線方向に対し傾斜するようにひねられ、かつ、前記各脚部材で互いに同方向にひねられている。この同方向ひねりによって、換気口を通過する気流に旋回流（矢示Ｂ）が生じ、気流の流動抵抗が減少することとなる。
【００２５】
そして、中間部材２０の天板部材２３に、フード３０が取付部材４０で着脱自在に取付られる。前記フード３０は、陶器製の円形椀状本体３１の後面に、金属製補強シート（アルミ箔）３２が接着取付られている。
【００２６】
前記陶器製のフード３０の取付部材４０において、前記天板部材２３のネジ部２４に螺合するネジ棒４１の先端に座板４２が固定されており、該座板を貫通して前記ネジ棒の先端から中途までネジ穴４３が設けられている。そして、前記フードの後面の中央に前記座板４２が当接された状態で、前記フードの中央に貫通した孔を通して、ビス４４が前記ネジ棒４１のネジ穴４３にねじ込み固定される。
【００２７】
以上において、建物外壁Ｗ１の換気口に本装置を取り付けるには、先ず装置本体１０の円筒部１１を換気口内に挿入し、円鍔部１２を外壁Ｗに押し付ける。次に中間部材２０の環板２１の孔２１ａを通じ、ネジ１で円鍔部本体１２ａに設けた孔を通して、外壁Ｗ１にねじ込み固定する。
【００２８】
そして、フード取付部材４０の座板４２にフード３０を押し当て、フードの孔にビス４４を通して、取付部材のネジ穴４３にねじ込む。これで、フード３０にネジ棒４１と座板４２が固定されたことになる。次に、ネジ棒４１をナット部材２４にねじ込んで、フード３０の装置本体１０への取り付けが終わる。
【００２９】
ここで、フード３０にビス４４でネジ棒４１が取り付けられるので、接着剤で取り付けるよりも火災に強い。しかも、比較的小径のビス４４がフード３０を貫通するので、フード３０の貫通孔が小径ですむ。また、比較的大径のネジ棒４１でナット部材２４にねじ込むので、ナット部材２４の孔が見えにくい状態でも、ネジ棒４１を中間部材２０のナット部材２４へねじ込む作業が容易となる。
【００３０】
図４は、前記陶器製のフードの取付部材の他の実施例であり、前記天板部材のナット部材２４に螺合するネジ棒４１が、フードの後面に座板と接着剤を介して固定されたものである。
【００３１】
図５は、前記陶器製のフードの取付部材の更に他の実施例であり、前記天板部材のナット部材２４に螺合する陶器製のネジ棒４１が、フードの後面に一体形成されたものである。
【００３２】
図６，７は、前記陶器製のフードの取付部材の更に他の実施例である。即ち、前記天板部材のネジ部２４に螺合するネジ棒４１の先端には、周縁に爪４２ａを持つ座板４２が固定されている。また、前記フード３０の内面中央に同心に短円筒凹所３３が一体形成されている。そして、短円筒凹所３３内に接着剤Ｄを介して、前記座板４２が抜止め状態で押し込まれて固定される。このとき、爪４２ａが弾性変形して半径を縮小して進入するので、爪は凹所内面に斜めに押圧し、抜止め作用を生じる。
【００３３】
前記部材を陶器製としたときは、金属，プラスチックなどのシート状のもの，板状のもので補強されてもよい。この場合、陶器の破損が防止され、もし割れても破片の脱落が防がれる。
【００３４】
本発明は前記した実施例や実施態様に限定されず、特許請求の範囲および範囲を逸脱せずに種々の変形を含む。
【産業上の利用可能性】
【００３５】
本発明は、換気口装置利用される。
【図面の簡単な説明】
【００３６】
【図１】本発明の一実施例の正面図である。
【図２】図１のＹ２−Ｙ２断面図である。
【図３】図２のＹ３−Ｙ３要部断面図である。
【図４】フード取付部材の他の実施例である。
【図５】フード取付部材の更に他の実施例である。
【図６】フード取付部材の更に他の実施例である。
【図７】図６の要部右側面図である。
【符号の説明】
【００３７】
Ｗ    外壁  
Ｗ１  換気口  
Ｃ    コーキング
１０  装置本体
１１  円筒部
１１ａ  通気口
１１ｂ  円周突条
１２  円鍔部
１２ａ  円鍔本体
１２ｂ  周壁
１２ｃ  水切り凸条
１２ｄ  折り返し部
２０  中間部材
２１  環板
２１ａ  孔
２２  脚部
２３  天板部
２４  ナット部材
３０  フード
３１  フード本体
３２  アルミ箔
４０  フード取付部材
４１  ネジ棒
４２  座板
４３  ネジ穴
４４  ビス
【図１】
2008304151.tif 000003
【図２】
2008304151.tif 000004
【図３】
2008304151.tif 000005
【図４】
2008304151.tif 000006
【図５】
2008304151.tif 000007
【図６】
2008304151.tif 000008
【図７】
2008304151.tif 000009